(57)【要約】【課題】  液晶表示パネルの開口部から背面側の回転体を目視できる遊戯機用液晶表示装置において、バックライトの反射シートの反射光が遊戯者の目に入らないようにしたものを提供すること。【解決手段】  導光板２４１の前方に位置するレンズシート２２及び拡散シート２３に形成されたレンズシート開口部１１及び拡散シート開口部１３に対し、反射シート２４０に形成した反射シート開口部１４を大きくして形成し、液晶表示部２０の前方から見たときに反射シート開口部１４の縁がレンズシート開口部１１及び拡散シート開口部１３の陰になるようにする。【選択図】    図２
2005091970.tif 000002
【特許請求の範囲】
【請求項１】
液晶表示パネルの背面に導光板を配置し、該導光板の背面に反射シートを形成すると共に該導光板の側端面に対向して光源を配置し、前記反射シートの後方に配置された回転表示体が前記液晶表示パネルの表面側から見えるようにするための表示用開口部を設けた遊戯機用液晶表示装置において、前記表示用開口部が、前記液晶パネルと導光板の間に配置されたレンズシートに形成された開口部と、該レンズシートの開口部よりも大きくなるように前記反射シートに形成した矩形の反射シート開口部とからなることを特徴とする遊戯機用液晶表示装置。
【請求項２】
前記レンズシートに形成された開口部は、コーナー部分に丸みを付けられていることを特徴とする請求項１に記載の遊戯機用液晶表示装置。
【請求項３】
前記表示用開口部は、更に前記液晶表示パネルの透光部により形成されていることを特徴とする請求項１に記載の遊戯機用液晶表示装置。
【請求項４】
前記導光板の背面には、前記反射シートの開口に対応する位置以外の部分に乱反射のためのドットパターンを備えていることを特徴とする請求項１に記載の遊戯機用液晶表示装置。
【発明の詳細な説明】
【技術分野】
【０００１】
本発明は、遊戯機用液晶表示装置に関し、特に装飾やゲーム内容を表示する液晶表示パネルの背面に導光板を配置し、この導光板の背面に反射シートを形成すると共に導光板の端面に対向して光源を配置し、反射シートの後方に配置された回転表示体を液晶表示パネルの表面側から見えるようにするための表示用開口部を設けてなる遊戯機用液晶表示装置に関するものである。
【背景技術】
【０００２】
遊戯装置であるスロットマシンは、例えば３個の回転表示体を化粧板に形成した開口部を介して前面から見えるようにし、回転表示体に施した絵柄や数字等を所定の組み合わせになるように操作して楽しむものである。具体的には、遊戯者が回転表示体を高速に回転させた後に手動で適宜に停止させて目的とする絵柄等の組み合わせを得て楽しむものである。
【０００３】
近年のスロットマシンは、化粧板に施された装飾を変化させたり、ゲーム内容を表示するために液晶表示部が備えられている。例えば、下記の特許文献１にはゲームの目的とする入賞の組み合わせに該当する絵柄を遊戯者に分かりやすく表示できるようにしたスロットマシンが開示されている。この特許文献１に開示されているスロットマシンの表示面は、液晶シャッターにて形成される表示窓と、その表示窓を透明とするか不透明とするかの制御を行わせるための制御部とからなり、表示窓は絵柄を施した回転リールの前方に位置し、その表示窓を介してそれぞれの回転リールの絵柄が見えるように形成されている。
【０００４】
前記制御部は、液晶シャッターたる表示窓を透明とするか不透明とするかについて、回転リールの各絵柄毎に制御できるように形成され、且つ、入賞の組み合わせの絵柄に対応する表示窓の区分のみを透明とすることができるように制御可能にしたものである。
【０００５】
この場合、表示窓は回転リールの前方に位置し、その表示窓には各回転リールの絵柄が３個ずつ、即ち９個の絵柄が見えるように形成されているので、前記制御部は表示窓の９箇所を個別に制御することができるようになっている。
【０００６】
このスロットマシンにおいて、前記制御部は、ゲーム開始時には表示窓の全ての部分を透明とするように制御し、ゲーム終了時に入賞の絵柄の組み合わせがある場合にはこの部分のみ透明とし、入賞の組み合わせに無関係な絵柄に対応する表示窓の部分を不透明にするように制御する。
【０００７】
上述した従来のスロットマシンの液晶表示パネルは、単に液晶シャッターとして使用され、遮光状態及び透光状態に制御されるのみである。
【０００８】
一方、下記特許文献２には液晶表示パネルの機能を更に積極的に活用し、液晶表示パネルによってスロットマシンのゲームに関連した次の（１）〜（３）等の各種表示を行うことができるようになしている。
（１）ゲームの開始前に、ゲーム方法等の各種インフォメーションを液晶表示できるようにしたこと。
（２）メダルの投入枚数に応じて従来の固定ラインを廃し、新たに設けた有効ラインを遊戯者に見易く表示できるようにしたこと。
（３）従来の回転リールを使用したゲームに加え、液晶を利用した別遊戯ができるようにしたこと。
【０００９】
すなわち、下記特許文献２に開示されているスロットマシンにおける液晶パネルは、スロットマシンのセンターパネルの裏面のほぼ全体にわたって配置され、この液晶パネルの裏面には該液晶パネルを裏面から照明するバックライトユニットが配置され、また、このバックライトユニットは３個の表示窓を除き液晶パネルの裏面の略全体にわたって配置された面発光板及び該面発光板の端面に配置された蛍光灯とからなっている。
【００１０】
従って、このスロットマシンでは、面発光板を各表示窓の位置を除いて配置したことから、液晶パネルの状態の如何にかかわらずスロットマシンの内部に配置された各回転リールのシンボルマークをセンターパネルを介してスロットマシンの前面より見ることができる。
【００１１】
このスロットマシンの液晶表示パネルでは、前記（１）の場合は、まず、ゲーム開始前に液晶を遮光状態とする。このため、センターパネルの前面からは、各回転リールのシンボルマークが見えない。この遮光状態においては、その遮光面の液晶パネルにゲームの使用方法等の各種のインフォメーションを表示する。
【００１２】
また、前記（２）の場合は、メダルを投入する等してゲーム開始となると、表示窓の液晶が透光状態となる。このため、センターパネルの前面より、内部の各回転リールのシンボルマークを見ることができる。これに加え、液晶の透光面の一部を透光状態として投入されたコイン数に対応した有効ラインを表示する。この有効ラインは一回のゲームでのメダルの投入枚数によって異なるようにすることができる。
【００１３】
前記（３）の場合は、例えばゲーム終了の結果、特別の入賞態様になったときに表示窓の遮光状態としてその遮光面において別遊戯を自由に表示することができる。
【００１４】
一方、本出願人は、特願２００２−２３２６９７号として、遊戯機の前面に設けた遊戯機用表示器をスロット表示の部分を除き液晶ドットマトリックス表示機能をもたせ、スロット表示部分をカラーフィルターを設けた透光部とした液晶パネルを用いた遊戯機に関する発明（以下、「第１先願発明」という。）を特許出願している。このような構成とすることにより、遊戯機用表示器はスロット表示部分で回転表示機の絵柄を表示し、液晶ドットマトリックス表示機能部分で動く装飾やタイムリーな情報提供を行うことができるようになる。
【００１５】
同じく、本出願人は特願２００２−２７５０６１号として、遊戯機の前面化粧板全体に液晶表示器を用い、この液晶表示器に絵柄や数字のスロット表示がなされる開口部を形成した構成の液晶表示パネルを用いた遊戯機に関する発明（以下、「第２先願発明」という。）を特許出願している。この遊戯機は、液晶表示器に偏光板を用いるが、開口部分には偏光板を設けず、スロット表示を見やすくしたものである。
【００１６】
これらの先願１ないしは先願２の液晶表示機能を用いた従来の遊戯装置における液晶表示部の構成を、図５〜７を用いて説明する。ここで、図５は従来の遊戯装置の液晶表示部と回転表示体とを示す斜視図、図６は図５において液晶表示部を断面とした側面図、図７は図５及び図６における液晶表示部の背面側を上方として示した分解斜視図である。
【００１７】
図５〜７において、遊戯装置であるスロットマシン本体は省略するが、スロットマシンの前面に設けた液晶表示部２０は、液晶表示パネル２１と、その背面側に配置されたレンズシート２２と、このレンズシート２２の背面側に配置された拡散シート２３と、この拡散シート２３の背面側に配置されたバックライト部２４と、これらを積層して一体化するための枠体２５とケース２６とから構成されている。
【００１８】
バックライト部２４は、背面に反射シート２４０が配置された透明な材料からなる導光板２４１と、この導光板２４１の端面に対向して配置された蛍光灯からなる光源２４２とから構成されている。この導光板２４１は、図７に示したように、導光板２４１自体に形成された乱反射のためのドットパターン面２４１ａを有している。そして、この反射シート２４０は光源２４２から導光板２４１の側方に入射した光を前方に効果的に反射させるようになっている。この反射シート２４０によって前方に反射された光は拡散シート２３とレンズシート２２とにより液晶表示パネル２１の背面を均一に照射するようになっている。
【００１９】
一方、液晶表示パネル２０の裏側には３個のドラム状の回転表示体３０、３０’，３０”が配されている。これら回転表示体３０はその周面に種々の図柄が施され、且つ夫々が独立に回転できるようになっている。これら図柄は液晶表示部２０に形成された３個の開口部４０、４０’、４０”を介して液晶表示部２０の前方から見えるようになっている。
【００２０】
開口部４０〜４０”は、導光板２４１の前方に位置する拡散シート２３に形成した拡散シート開口部２３０と、レンズシート２２に形成したレンズシート開口部２２０と、導光板２４１の後方に位置する反射シート２４０に形成した反射シート開口部２４０ａと、ケース２６に形成したケース開口部２６０と、更には液晶表示パネル２１に形成した透光部分（図示せず）とから構成されている。これら拡散シート開口部２３０、レンズシート開口部２２０、反射シート開口部２４０ａ及びケース開口部２６０はほぼ同一寸法であって矩形である。
【００２１】
液晶表示パネル２１の透光部分は、拡散シート開口部２３０、レンズシート開口部２２０、反射シート開口部２４０ａ等と同一寸法か若干大きな寸法で形成されている。導光板２４１は全面が実質的に透光性であるので特に開口部分を形成していないが、図７に示したように、ドットパターン面２４１ａの反射シート開口部２４０ａに相当する範囲２４１ｂにはドットパターンを施さず平らな面としてある。
【００２２】
また、液晶表示パネル２１はバックライトと制御回路（図示せず）とによって各種の装飾、ゲーム内容の表示、数字の表示、透光部分等が得られるようになっている。
【００２３】
このような構成の従来装置は、遊戯者がコインを投入してゲームを開始すると、表示用開口部４０〜４０”が形成され、液晶表示部２０の前面から回転表示体３０の絵柄が見えるようになると共に、液晶表示パネル２１上に装飾等の各種の表示がなされる。その後、遊戯者は回転表示体３０〜３０”を回転させて表示用開口部４０〜４０”から高速で変化する絵柄を監視し、その内の１つについてストップ操作を行ういわゆる目押し操作を行って回転表示体３０の回転を停止させる。以下順に他の回転表示体３０を停止させ、夫々の表示用開口部４０〜４０”に所望の絵柄が表示されることを目標に操作してゲームを楽しむようになっている。
【特許文献１】特開平４―２２０２７６号公報（段落〔０００５〕〜〔０００６〕、段落〔０００８〕）
【特許文献２】特開平７−１２４２９０号公報（段落〔０００４〕〜〔０００８〕、段落〔００２０〕〜〔００２６〕及び段落〔００２８〕）
【発明の開示】
【発明が解決しようとする課題】
【００２４】
しかしながら、従来装置にあっては、液晶表示部２０が扁平状に構成されていても、液晶表示パネル２１、レンズシート２２、拡散シート２３、導光板２４１等が所定の厚みを有するため、遊戯者が表示用開口部４０〜４０”を見たときに反射シート２４０の一部が目に入ってしまう（図５参照）。この反射シート２４０は強力な反射光を発すること及び導光板２４１の背面側に設けられているドットパターン２４１ａが見えてしまうこと等により、遊戯者が注意力を集中して行う目押しに対し悪影響を及ぼし、また、遊戯者の目に疲労を与える等の問題点があった。
【００２５】
そこで、本発明は、従来の問題点を排除し、表示用開口部４０〜４０”から反射シートが遊戯者の目にはいることを無くした液晶パネルを有する遊戯装置を提供することを目的とする。
【課題を解決するための手段】
【００２６】
前記課題を解決するために、本願の請求項１に係る発明は、液晶表示パネルの背面に導光板を配置し、該導光板の背面に反射シートを形成すると共に該導光板の側端面に対向して光源を配置し、前記反射シートの後方に配置された回転表示体が前記液晶表示パネルの表面側から見えるようにするための表示用開口部を設けた遊戯機用液晶表示装置において、前記表示用開口部が、前記液晶パネルと導光板の間に配置されたレンズシートに形成された開口部と、該レンズシートの開口部よりも大きくなるように前記反射シートに形成した矩形の反射シート開口部とからなることを特徴とする。
【００２７】
また、本願の請求項２に係る発明は、前記請求項１に記載の液晶表示装置において、前記レンズシートに形成された開口部は、コーナー部分に丸みを付けられていることを特徴とする。
【００２８】
また、本願の請求項３に係る発明は、前記請求項１に記載の液晶表示装置において、前記表示用開口部は、更に前記液晶表示パネルの透光部により形成されていることを特徴とする。
【００２９】
また、本願の請求項４に係る発明は、前記請求項１に記載の液晶表示装置において、前記導光板の背面には、前記反射シートの開口に対応する位置以外の部分に乱反射のためのドットパターンを備えていることを特徴とする。
【発明の効果】
【００３０】
本願の請求項１に係る発明においては、液晶表示部の表示用開口部を形成している反射シート開口部が前方にあるレンズシートに形成された開口部より大きいので、反射シート開口部の縁は開口部を形成する部材の陰になり、反射シートで反射する光源の光が直接に遊戯者の目に入らない。そのため、遊戯者は表示用開口部内の絵柄の変化に注意力を集中できるようになる。また、強力な反射光が目に入って疲労が蓄積されることがない。加えて、レンズシートに形成された開口部により導光板の前方に固定的に矩形の開口部を形成できるため、液晶表示パネルに形成する透光部の形状に自由度が増し、液晶パネルに表示させる画像に応じて適宜形状の透光部を形成することができるようになる。
【００３１】
また、本願の請求項２に係る発明においては、表示用開口部の形状を決定するレンズシートに形成された開口部のコーナー部分が円弧状になっているので、表示用開口部から見た表示用回転体の模様の変化による刺激がコーナー部分で和らげられ、また、コーナー部分が反射シートから大きく離れているのでコーナー部分での反射光は弱くなっている。そのため、表示用開口部内の絵柄の変化に注意力を集中している遊戯者に与える疲労感が少なくなる。
【００３２】
また、本願の請求項３に係る発明によれば、特別の構成を設けることなく液晶表示パネルの駆動部を制御するのみで導光板の前方に矩形の開口部を形成することができるようになる。
【００３３】
また、本願の請求項４に係る発明によれば、反射シートの開口に対応する位置以外に設けられたドットパターンのために光が均一に乱反射されるために、一様な輝度分布のバックライト光が得られるので、液晶表示パネルの表示品位が向上する。
【発明を実施するための最良の形態】
【００３４】
以下、本発明の具体例を実施例及び図面を用いて詳細に説明する。
【実施例】
【００３５】
本発明の実施例に係る遊戯機用液晶表示装置を図１〜図４に示す。図１は本発明の実施例における液晶表示部と回転表示体を示す斜視図、図２は図１の液晶表示体を断面とした側面図、図３は本発明の実施例におけるレンズシート開口部及び拡散シート開口部と反射開口部との関係を示す一部正面図、図４は本発明の実施例におけるレンズシート開口部及び拡散シート開口部と反射シート開口部との関係を背面側を上方として示した一部分解斜視図である。なお、図において従来装置と同一部分は同一符号を付しその説明を省略する。
【００３６】
本実施例に係る液晶表示部１０のレンズシート２２及び拡散シート２３には、図３及び図４に示したように、回転表示体３０〜３０”を液晶表示パネル２１の表面側から見えるようにするためのレンズシート開口部１１及び拡散シート開口部１３が３個形成されている。このレンズシート開口部１１及び拡散シート開口部１３は、共にその縦方向の長さがｌ１、横方向の長さがｌ２の矩形であって、コーナー部１２が面取りされて円弧状になっている。
【００３７】
反射シート２４０には、回転表示体３０〜３０”を液晶表示パネル２１の表面側から見えるようにするための反射シート開口部１４が３個形成されている。この反射シート開口部１４は、その縦方向の長さがレンズシート開口部１１及び拡散シート開口部１３の縦方向の長さｌ１より若干長いＬ１であって、横方向の長さがレンズシート開口部１１及び拡散シート開口部１３の横方向の長さｌ２より若干長いＬ２である矩形の形状のものである。導光板２４１は、ドットパターン面２４１ａに前記反射シート開口部１４の大きさと同じ大きさのドットパターンを施していない平らな面１５が形成されている。したがって、反射シート開口部１４の縁は液晶表示部１０の前方から見るとレンズシート開口部１１及び拡散シート開口部１３の陰になるように構成されている。
【００３８】
そして、レンズシート開口部１１及び拡散シート開口部１３は、導光板２４１の前方に位置され、液晶表示部２０の前方から見た表示用開口部４０〜４０”の形状を決定する開口部として形成されている。
【００３９】
このような構成による遊戯装置の動作は下記のとおりである。遊戯者がコインを投入してゲームをスタートさせると、遊戯装置は、液晶表示パネル２１上にレンズシート開口部１１と同じ位置に透光部分を残して表示用開口部４０〜４０”を形成し、他の面上に各種の装飾、ゲーム内容等の表示を行う。同時に、遊戯装置は回転表示体３０〜３０”を回転させて絵柄を液晶表示パネル２１の表示用開口部４０〜４０”から見えるようにする。遊戯者は、回転表示体３０〜３０”を高速回転させた状態で表示用開口部４０〜４０”内の高速で移動する絵柄を監視して目押しを行うが、この状態では液晶表示部１０の前方からは反射シート２４０が見えなくなっている。
【００４０】
従って、遊戯者は光源２４２からの反射光が直接に目に入らないので、導光板２４１のドットパターも見えることはなくなり、表示用開口部４０〜４０”内の絵柄の変化に注意力を集中できる。もちろん、遊戯者は視線を正面からずらすことがあるが、この場合にあっても反射シート２４０がレンズシート開口部１１の縁から後退しているので、光源２４２からの反射光が直接に目に入ることはない。
【００４１】
また、レンズシート開口部１１及び拡散シート開口部１３のコーナー部分１２は円弧状になっているため、表示用開口部４０〜４０”から見ることができる回転表示体３０〜３０”の模様の変化による刺激がコーナー部分１２で和らげられる。同時に、コーナー部分１２は反射シート２４０の開口部２４０ａから大きく離れているので、コーナー部分１２での反射光は弱くなっている。従って、遊戯者は長時間の遊戯装置の使用によっても疲労を受けることが軽減される。
【００４２】
なお、上述した本発明の実施例にあっては、導光板２４１はドットパターン面２４１ａと平らな面１５とによって構成したが、反射シート２４０を使用していればドットパターン面２４１ａを設けずに全面を平らな面としてもよい。
【図面の簡単な説明】
【００４３】
【図１】本発明の実施例における遊戯装置の液晶表示部と回転表示体とを示す斜視図である。
【図２】図１において液晶表示部を断面とした側面図である。
【図３】本発明の実施例におけるレンズシート開口部と反射シート開口との関係を示す部分的な正面図である。
【図４】本発明の実施例におけるレンズシート開口部と反射シート開口部との関係を背面側を上方として示した一部分解斜視図である。
【図５】従来例の遊戯装置の液晶表示部と回転表示体とを示す斜視図である。
【図６】図５において液晶表示部を断面とした側面図である。
【図７】従来の液晶表示部を分解して背面側を上方として示した分解斜視図である。
【符号の説明】
【００４４】
１０、２０  液晶表示部
１１        レンズシート開口部
１２        コーナー部分
１３        拡散シート開口部
１４        反射シート開口部
２１        液晶表示パネル
２２        レンズシート
２３        拡散シート
２４        バックライト部
２５        枠体
２６        ケース
３０、３０’、３０”  回転表示体
４０、４０’、４０”  表示用開口部
２４０    反射シート
２４１      導光板
２４１ａ    ドットパターン面
２４２      光源
２６０      ケース開口部
【図１】
2005091970.tif 000003
【図２】
2005091970.tif 000004
【図３】
2005091970.tif 000005
【図４】
2005091970.tif 000006
【図５】
2005091970.tif 000007
【図６】
2005091970.tif 000008
【図７】
2005091970.tif 000009